(57)【特許請求の範囲】
【請求項１】
柄と、該柄の先端に上下反転可能に取り付けられたワイパーヘッドとを有し、該ワイパーヘッドに清掃用のシートを装着して床面を清掃するフローリングワイパーであって、
前記ワイパーヘッドは、前後長より左右長が長い合成樹脂製の基盤を有し、
前記基盤の前後両側面のうち少なくとも一方の側面には、該基盤の左右方向の一端側と他端側との位置に、前記側面から該基盤の前後方向中央に向けて凹状に窪んだブロック取付部が形成され、各ブロック取付部の内部に、前記シートを装着状態に係止させるためのシート係止部を形成する係止ブロックがそれぞれ取り付けられており、
前記係止ブロックは、高さより左右方向長さが長い矩形枠状をした中空のボディと、該ボディの前端面を塞ぐ前端壁とを有していて、該前端壁を前記基盤の前方又は後方に向けた姿勢で前記ブロック取付部の内部に取り付けられ、該前端壁に、複数の切目で区画された弾性変形可能な係止片からなる前記シート係止部が形成されている、
ことを特徴とするフローリングワイパー。
【請求項２】
前記係止ブロックのボディの左右両側面に固定用突起がそれぞれ形成され、前記ブロック取付部の左右両側端部に窪み部がそれぞれ形成されていて、前記固定用突起を前記窪み部に嵌合、係止させることにより、前記係止ブロックが前記ブロック取付部内に固定されていることを特徴とする請求項１に記載のフローリングワイパー。
【請求項３】
前記ワイパーヘッドは、上下２つの盤材を接合することにより形成された前記基盤と、該基盤の上下両面にそれぞれ取り付けられた緩衝用のパッド板とを有することを特徴とする請求項１又は２に記載のフローリングワイパー。
【請求項４】
前記パッド板が、前記基盤より大きく形成されていて、該基盤の前後方向にはみ出すことにより、前記シート係止部は、前記パッド板の端縁より奥まった位置を占めていることを特徴とする請求項３に記載のフローリングワイパー。
【請求項５】
前記係止ブロックは、前記ワイパーヘッドの前後両側面にそれぞれ取り付けられていることを特徴とする請求項１から４の何れかに記載のフローリングワイパー。
【請求項６】
前記係止ブロックは、前記ワイパーヘッドの前後両側面のうち何れか一方の側面に取り付けられ、他方の側面側には、前記ワイパーヘッドの上下両面に、前記シートを装着状態に係止させるためのシート係止手段が設けられていることを特徴とする請求項１から４の何れかに記載のフローリングワイパー。
【発明の詳細な説明】
【技術分野】
【０００１】
本発明は、清掃用のシートをワイパーヘッドに装着して清掃を行うフローリングワイパーに関するものであり、更に詳しくは、前記シートを表裏反転させて両面を使用することができるようにしたフローリングワイパーに関するものである。
【背景技術】
【０００２】
清掃用のシートをワイパーヘッドに装着して床面等の清掃を行うフローリングワイパーは、従来より良く知られているところである。この種のフローリングワイパーは、通常、前記シートの表裏両面を効率良く使用するため、一方の面が汚れると、それを裏返して他方の面を使用するようにしているが、その際、汚れたシート全体を一旦ワイパーヘッドから取り外し、裏返しにしたあと再び前記ワイパーヘッドに装着するようにしていたため、シートに付着した塵埃によって手が汚れ易いという問題があった。
【０００３】
一方、特許文献１及び特許文献２には、拭布（雑巾）全体をヘッドから取り外すことなく表裏反転させることができるようにしたモップが開示されている。
【０００４】
このうち、特許文献１に開示されたモップは、２つの装着部材を開閉自在に重ね合わせることによってヘッドを形成すると共に、該ヘッドを柄の先端に上下反転自在に取り付けたもので、該ヘッドの片面に装着した拭布の両端部を前記２つの装着部材の間に挟持させることにより、該拭布を装着状態に固定するように構成されている。
そして、清掃により汚れた前記拭布を表裏反転させるときは、該拭布の一端は前記２つの装着部材の間に挟持させたまま、該拭布の他端を前記ヘッドから取り外し、前記ヘッドを上下反転させると共に、前記拭布を前記一端を支点として表裏反転させたあと、該拭布の他端を再び前記２つの装着部材の間に挟持させるようにする。
【０００５】
また、前記特許文献２に開示されたモップは、ヘッドの一部を開閉自在なるように形成して拭布の一端を挟持させ、該拭布の他端は、前記ヘッドの上下両面に形成した滑り止め部で位置ずれしないように保持させるようにしたもので、前記拭布を表裏反転させるときは、前記ヘッドに挟持された一端を支点として反転させ、他端は前記滑り止め部に係止させるようにする。
【０００６】
前記特許文献１及び特許文献２に開示されたモップは、前記拭布全体をヘッドから完全に取り外すことなく反転させることができるという利点を有するものであるが、ヘッドを開閉自在に形成しているため、その分該ヘッドの構造が複雑で、拭布の反転時に該ヘッドの開閉操作を必要とするという点において、やや難点がある。
また、ヘッドを形成する上下の装着部材の間に拭布の端部を直接挟持する方式であるため、雑巾のような厚みの大きい（例えば５ｍｍ以上）拭布を使用する場合には適しているが、厚みの小さい（例えば１ｍｍ程度）シートを使用する場合には、該シートが滑って外れ易いため、不向きである。
【先行技術文献】
【特許文献】
【０００７】
【特許文献１】特開平７−２５５６５９号公報
【特許文献２】特開平９−８４７３０号公報
【発明の概要】
【発明が解決しようとする課題】
【０００８】
本発明の技術的課題は、厚みの薄いシートを使用する場合に適していて、該シート全体をヘッドから完全に取り外すことなく反転させることが可能な、構成が簡単で操作も容易なフローリングワイパーを提供することにある。
【課題を解決するための手段】
【０００９】
前記課題を解決するため、本発明によれば、柄と、該柄の先端に上下反転可能に取り付けられたワイパーヘッドとを有し、該ワイパーヘッドに清掃用のシートを装着して床面を清掃するフローリングワイパーであって、前記ワイパーヘッドは、前後長より左右長が長い合成樹脂製の基盤を有し、前記基盤の前後両側面のうち少なくとも一方の側面には、該基盤の左右方向の一端側と他端側との位置に、前記側面から該基盤の前後方向中央に向けて凹状に窪んだブロック取付部が形成され、各ブロック取付部の内部に、前記シートを装着状態に係止させるためのシート係止部を形成する係止ブロックがそれぞれ取り付けられており、前記係止ブロックは、高さより左右方向長さが長い矩形枠状をした中空のボディと、該ボディの前端面を塞ぐ前端壁とを有していて、該前端壁を前記基盤の前方又は後方に向けた姿勢で前記ブロック取付部の内部に取り付けられ、該前端壁に、複数の切目で区画された弾性変形可能な係止片からなる前記シート係止部が形成されていることを特徴とするフローリングワイパーが提供される。
【００１０】
本発明において、前記係止ブロックのボディの左右両側面に固定用突起がそれぞれ形成され、前記ブロック取付部の左右両側端部に窪み部がそれぞれ形成されていて、前記固定用突起を前記窪み部に嵌合、係止させることにより、前記係止ブロックが前記ブロック取付部内に固定されていることが好ましい。
【００１１】
この場合、前記ワイパーヘッドは、上下２つの盤材を接合することにより形成された前記基盤と、該基盤の上下両面にそれぞれ取り付けられた緩衝用のパッド板とを有することが望ましい。
また、前記パッド板が、前記基盤より大きく形成されていて、該基盤の前後方向にはみ出すことにより、前記シート係止部は、前記パッド板の端縁より奥まった位置を占めていることが望ましい。
【００１２】
前記係止ブロックは、前記ワイパーヘッドの前後両側面にそれぞれ取り付けられていても良いが、前記ワイパーヘッドの前後両側面のうち何れか一方の側面に取り付けられ、他方の側面側には、前記ワイパーヘッドの上下両面に、前記シートを装着状態に係止させるためのシート係止手段が設けられていても良い。
【発明の効果】
【００１３】
本発明の清掃具によれば、柄に上下反転可能に連結したワイパーヘッドの側面に、切目で区画された複数の係止片を有するシート係止部を設けたことにより、該シート係止部にシートの一端を係止させたまま、前記ワイパーヘッドを上下反転させると共に、前記シートを前記一端を支点として表裏反転させることで、該シート全体を前記ワイパーヘッドから完全に取り外すことなく、該シートを簡単に表裏反転させることができる。また、前記係止片により、厚みが１ｍｍ程度の薄いシートであっても確実に前記ワイパーヘッドに係止させることができる。
【図面の簡単な説明】
【００１４】
【図１】本発明に係るフローリングワイパーの第１実施形態を示す斜視図である。
【図２】図１の要部拡大図である。
【図３】ワイパーヘッドの分解斜視図である。
【図４】図２のＩＶ−ＩＶ線に沿った拡大断面図である。
【図５】係止ブロックの斜視図である。
【図６】係止ブロックの断面図である。
【図７】（ａ）、（ｂ）、（ｃ）は、清掃用シートを表裏反転させる操作を順番に説明するための模式図である。
【図８】本発明に係るフローリングワイパーの第２実施形態を示す斜視図である。
【図９】係止手段ブロックの斜視図である。
【図１０】本発明に係るフローリングワイパーの第３実施形態を示す要部平面図である。
【図１１】本発明に係るフローリングワイパーの第４実施形態を示す要部平面図である。
【図１２】図１１の一部を分解して示す斜視図である。
【発明を実施するための形態】
【００１５】
図１−図７は本発明に係るフローリングワイパーの第１実施形態を示すものである。このフローリングワイパー１Ａは、図１及び図２に示すように、柄２と、該柄２の先端に傾動自在且つ上下反転可能に取り付けられたワイパーヘッド３とを有し、該ワイパーヘッド３に清掃用のシート４を装着して床面を清掃するものである。前記シート４としては、厚さが１ｍｍ程度の不織布製の薄手のシートが適している。
【００１６】
前記柄２は、自在継手５を介して前記ワイパーヘッド３に、任意の方向に任意の角度傾動自在なるように連結されている。前記自在継手５は、前記ワイパーヘッド３に、該ワイパーヘッド３の長手方向（左右方向）に延びる第１の軸線を中心に回転自在に連結された第１の継手部材５ａと、該第１の継手部材５ａに、前記第１の軸線と直交する第２の軸線を中心に回転自在に連結された第２の継手部材５ｂとを有し、該第２の継手部材５ｂが前記柄２の先端に固定的に連結されている。
前記柄２は、長さ調整のため伸縮自在に形成されていても良い。
【００１７】
前記ワイパーヘッド３は、平面視形状が、前後長より左右長の方が長い長方形状をなす盤状の部材であって、上下両面に前記シート４を装着するための装着面６ａ，６ｂを有すると共に、前後両側面７ａ，７ｂに、前記シート４を装着状態に係止させるためのシート係止部８を有している。該シート係止部８は、交叉する複数の切目９によって区画された複数の弾性変形可能な係止片１０を有していて、該係止片１０に前記シート４を係止させて装着状態に保持するもので、前後の側面にそれぞれ２箇所ずつ設けられており、その位置は、前記ワイパーヘッド３の長手方向の一端寄りの位置と他端寄りの位置である。
【００１８】
また、前記ワイパーヘッド３の長手方向の中央位置には、該ワイパーヘッド３を上下反転させる際に前記柄２が通り抜ける逃げ孔１１が、該柄２の先端が連結されている位置から、前記ワイパーヘッド３の一方の側面まで延在するように形成されている。以下、該ワイパーヘッド３の構成について更に詳細に説明する。なお、以下の説明では、ワイパーヘッド３の前後の側面７ａ，７ｂのうち、前記逃げ孔１１が形成されている側の側面を第１側面７ａと呼び、反対側の側面を第２側面７ｂと呼ぶものとする。
【００１９】
前記ワイパーヘッド３は、図３及び図４からも明らかなように、２つの盤材１４ａ，１４ａを相互に接合することにより形成された基盤１４と、該基盤１４の上下両面にそれぞれ取り付けられた緩衝用のパッド板１５と、前記シート係止部８を形成する複数の係止ブロック１６とを有し、前記パッド板１５の表面が前記装着面６ａ，６ｂとなっている。また、図示した実施形態では、前記係止ブロック１６が全部で４つ設けられている。
【００２０】
前記２つの盤材１４ａ，１４ａは、硬質の合成樹脂により成型された浅皿状の部材であって、互いに同一形状を有し、各々の盤材１４ａの前後両側面７ａ，７ｂのうち一方の側面（第１側面）７ａには、前記逃げ孔１１と、前記係止ブロック１６が嵌合する平面視で凹状に窪んだ形をなす２つのブロック取付部１７とが形成され、他方の側面（第２側面）７ｂには、前記係止ブロック１６が嵌合する凹状の２つのブロック取付部１７が形成されている。前記第１側面７ａに形成された２つのブロック取付部１７と、前記第２側面７ｂに形成された２つのブロック取付部１７とは、前記盤材１４ａ（従ってワイパーヘッド３）の長手方向の中央に対して左右対称をなし、且つ、短手方向の中央に対して前後対称をなすように配設されている。
【００２１】
前記ブロック取付部１７の左右両側端部には、前記係止ブロック１６の左右両側面に形成された固定用突起１８の垂直部１８ａが嵌合して係止する窪み部１９が、前記盤材１４ａの接合面側に開放するように形成されている。
【００２２】
また、前記盤材１４ａの接合面には、長手方向の一半部側に複数（図では３つ）の連結用突起２２が形成されると共に、長手方向の他半部側に複数の連結用孔部２３が形成され、これらの連結用突起２２と連結用孔部２３とは、互いに同数で、前記盤材１４ａの長手方向の中央に対して左右対称をなすように配設されている。
【００２３】
そして、２つの盤材１４ａ，１４ａの接合面同士を相互に突き合わせ、一方の盤材１４ａの連結用突起２２を他方の盤材１４ａの連結用孔部２３内に圧入することにより、前記２つの盤材１４ａ，１４ａが相互に接合されて前記基盤１４が組み立てられている。このとき、前記ブロック取付部１７内に前記係止ブロック１６を配置しておくことにより、該係止ブロック１６の両側面の固定用突起１８の垂直部１８ａが、２つの盤材１４ａ，１４ａの前記窪み部１９内に嵌合、係止して、該係止ブロック１６が前記ブロック取付部１７内に固定されるが、これについては、後述する前記係止ブロック１６の説明の中で一層明らかになるであろう。
【００２４】
前記盤材１４ａの外面、即ち前記接合面と反対側の面は、前記パッド板１５を取り付けるための取付面であり、該取付面には、前記逃げ孔１１の周囲と、前記ブロック取付部１７の周囲とに、前記パッド板１５の厚みと略同程度か又はそれ以下の高さを有する壁２４が形成され、それ以外の部分は平坦面とされている。
【００２５】
前記パッド板１５は、前記シート４で床面を清掃する際のクッション性を高めるためのもので、合成ゴム板や、合成樹脂を発泡させて形成したスポンジ板、不織布や織物等からなる布を積層して形成した繊維板等によって、５−１０ｍｍ程度の厚みに形成され、前記２つの盤材１４ａ，１４ａの外面、即ち前記基盤１４の上下両面に、接着剤や両面接着テープ等により固定されている。該パッド板１５は、前記基盤１４の逃げ孔１１に対応する逃げ孔１５ａと、ブロック取付部１７に対応する切欠部１５ｂを有するなど、該基盤１４と同様の平面視形状に形成されているが、該基盤１４よりやや大きめに形成されることにより、該基盤１４の長手方向及び短手方向に若干はみ出している。
【００２６】
前記係止ブロック１６は、前記盤材１４ａよりも軟質の合成樹脂か、又は合成ゴムにより形成されたもので、図５及び図６からも明らかなように、矩形枠状をした中空のボディ２６と、該ボディ２６の前端面を塞ぐ前端壁２７とを有していて、該前端壁２７に、前記切目９及び係止片１０が形成されている。
前記ボディ２６の高さは、前記基盤１４の高さと同等か又はそれより高いが、前記パッド板１５を含めたワイパーヘッド３全体の高さよりは低く形成されている。
また、前記ボディ２６の肉厚Ｔ１は、前記前端壁２７の肉厚Ｔ２より厚く形成されていて（例えば、Ｔ１＝１．５ｍｍ、Ｔ２＝１ｍｍ）、前記切目９内にシートの一部を押し込むことによって前記係止片１０が内側に変形したとき、それに追従して前記ボディ２６が凹むなどの変形を生じることがないように構成されている。
【００２７】
また、前記ボディ２６の左右両側面には、前記固定用突起１８が形成されている。この固定用突起１８は、断面Ｔ字形をなすもので、前記ボディ２６の側面から水平に延出する水平部１８ｂと、該水平部１８ｂの先端から上下両方向に延出する前記垂直部１８ａとを有し、前記水平部１８ｂが上下の盤材１４ａ，１４ａの係止用の窪み部１９の端縁間に挟持されると共に、前記垂直部１８ａの上下部分が上下の盤材１４ａ，１４ａの前記窪み部１９内に嵌合して係止することにより、前記係止ブロック１６が、前記ブロック取付部１７内に、前記前端壁２７が前記ワイパーヘッド３の側面の一部をなすような姿勢で固定されている。
【００２８】
これによって前記係止ブロック１６は、接着や螺子止め等の方法を用いることなく、前記基盤１４に固定することができる。前記係止ブロック１６が破損したときは、接合した前記２つの盤材１４ａ，１４ａを分離させることにより、新しい係止ブロック１６と交換することができる。
【００２９】
前記構成を有するフローリングワイパー１Ａを使用するときは、図１、図２及び図７（ａ）に示すように、清掃用のシート４をワイパーヘッド３の一方の装着面６ａに装着し、該シート４の一端（第１端）４ａを前記第１側面７ａのシート係止部８内に指で押し込んで係止片１０に係止させると共に、前記シート４の他端（第２端）４ｂを前記第２側面７ｂのシート係止部８内に指で押し込んで係止片１０に係止させることにより、前記シート４を装着状態に固定する。
【００３０】
その状態で床面等を清掃したあと、汚れた前記シート４を表裏反転させる時は、図７（ｂ）に示すように、前記ワイパーヘッド３の第１側面７ａ側のシート係止部８に係止したシート４の第１端４ａを、該シート係止部８から取り外し、該シート４の第２端４ｂは前記第２側面７ｂ側のシート係止部８に係止させたまま、図７（ｃ）に示すように、前記ワイパーヘッド３を上下反転させると共に、前記シート４を、前記第２端４ｂを支点として回動させることにより表裏反転させ、前記ワイパーヘッド３の下向きとなった他方の装着面６ｂを覆うように装着したあと、前記第１端４ａを前記第１側面７ａのシート係止部８に係止させる。
これにより、前記シート４を、前記ワイパーヘッド３から該シート全体を一旦完全に取り外すことなく、表裏反転させることができる。
【００３１】
なお、前記シート４の反転時に、前記ワイパーヘッド３から取り外す該シート４の端部は、前記逃げ孔１１が形成されている第１側面７ａのシート係止部８に係止されている第１端４ａであり、反対側の第２端４ｂを取り外すと、該シート４の第１端４ａによって前記逃げ孔１１の開口端が塞がれたままになるため、該逃げ孔１１内を柄２が通り抜けられず、前記ワイパーヘッド３を反転させることができない。
【００３２】
図８は、フローリングワイパーの第２実施形態のワイパーヘッド３を示すもので、前記第１実施形態のフローリングワイパー１Ａのワイパーヘッド３が、その前後両側面、即ち第１側面７ａ及び第２側面７ｂの両方に、それぞれシート係止部８が設けられているのに対し、この第２実施形態のフローリングワイパー１Ｂのワイパーヘッド３は、第２側面７ｂだけにシート係止部８が設けられていて、第１側面７ａ側では、前記ワイパーヘッド３の上下両面に、前記シート４の第１端４ａを装着状態に係止させるためのシート係止手段３０が設けられている。
【００３３】
前記シート係止手段３０は、前記シート係止部８と同様に、交叉する複数の切目９によって区画された複数の弾性変形可能な係止片１０を有するものであっても良く、この場合に、前記係止片１０は、図９に示すように、前記第１実施形態の係止ブロック１６と同様の外形形状を有する係止手段ブロック３１の上下両面に形成し、この係止手段ブロック３１を、前記係止ブロック１６と同様の方法で前記ワイパーヘッド３の基盤１４に取り付けることにより形成することができる。この係止手段ブロック３１の前端壁３２に係止片１０は形成されていない。
【００３４】
この第２実施形態において、前記ワイパーヘッド３に装着された前記シート４の第１端４ａは、該ワイパーヘッド３の上面側に位置するシート係止手段３０の係止片１０に係止される。
前記係止片１０は、前記基盤１４の上下面に直接形成することもできる。
【００３５】
あるいは、前記シート係止手段３０を、ゴムや合成樹脂製発泡体のような摩擦力の大きい部材や、面ファスナーを構成する鉤側部材及び輪奈側部材のうちの鉤側部材などにより形成し、該部材を、前記ワイパーヘッド３の装着面６ａ，６ｂの前記第１側面７ａ寄りの位置に固定することにより、構成することもできる。前記鉤側部材は、第１側面７ａに取り付けても良い。
【００３６】
図１０はフローリングワイパーの第３実施形態の要部を示すもので、この第３実施形態のフローリングワイパー１Ｃは、柄２の先端に取り付けられたヘッド連結軸３４の水平部３４ａを、ワイパーヘッド３の長手方向の一端面から該ワイパーヘッド３の内部に回転自在に挿入することにより、前記柄２の先端に前記ワイパーヘッド３を、前記水平部３４ａを中心に回転させることで上下反転可能なるように取り付けたものである。この場合、前記ワイパーヘッド３に、前記第１及び第２実施形態のフローリングワイパー１Ａ，１Ｂのワイパーヘッド３に形成されているような、柄２のための逃げ孔１１は不要である。その他の構成は、前記第１及び第２実施形態のフローリングワイパー１Ａ又は１Ｂと実質的に同じである。
【００３７】
この第３実施形態においては、前記ワイパーヘッド３に前記逃げ孔が形成されていないため、シート４を表裏反転させる場合に、該シート４の第１端４ａ及び第２端４ｂのどちらを前記ワイパーヘッド３の側面７ａ，７ｂのシート係止部８から取り外しても良い。
【００３８】
図１１及び図１２は、フローリングワイパーの第４実施形態の要部を示すもので、この第４実施形態のフローリングワイパー１Ｄは、装着面６ａ，６ｂを形成するパッド板１５Ｄの形状と、該パッド板１５Ｄを基盤１４に取り付けるための機構とが、前記第１実施形態のフローリングワイパー１Ａと相違している。
【００３９】
即ち、このパッド板１５Ｄには、前記第１実施形態のフローリングワイパー１Ａのパッド板１５と同様に、ワイパーヘッド３を上下反転させる際に柄２が通り抜ける逃げ孔１１は形成されているが、前記パッド板１５に形成されているような、係止ブロック１６を外部に露出させる切欠部１５ｂは形成されていない。
【００４０】
また、前記パッド板１５Ｄを前記基盤１４に取り付けるため、該基盤１４の両面の長手方向の一端部と他端部とには、それぞれ取付軸３６が２つずつ形成され、これに対し、前記パッド板１５Ｄの長手方向の一端部と他端部とには、それぞれ取付孔３７が２つずつ形成され、該取付孔３７内に前記取付軸３６を嵌入させることにより、該パッド板１５Ｄが前記基盤１４の両面にそれぞれ取り付けられている。前記基盤１４の両面には、前記第１実施形態のフローリングワイパー１Ａの基盤１４に形成されているような壁２４は形成されていない。
【００４１】
前記フローリングワイパー１Ｄはこのように構成されているので、各係止ブロック１６の上下両面は、前記パッド板１５Ｄによって完全に覆われ、前記係止ブロック１６の前端壁２７に形成されたシート係止部８は、前記パッド板１５Ｄの端縁より奥まった位置を占めることになる。このため、シート４をワイパーヘッド３に装着して一部を前記シート係止部８に係止させた場合、該シート４の前記パッド板１５Ｄの端縁に沿う部分は、該端縁によってほぼ全長に渡って支持されるから、清掃時に、床面との摩擦により部分的に変形して皺になるようなことがない。
【符号の説明】
【００４２】
１Ａ，１Ｂ，１Ｃ，１Ｄ      フローリングワイパー
２      柄
３      ワイパーヘッド
４      シート
６ａ，６ｂ      装着面
７ａ，７ｂ      側面
８      シート係止部
９      切目
１０      係止片
１４      基盤
１４ａ      盤材
１５，１５Ｄ      パッド板
１６      係止ブロック
１７      ブロック取付部
１８      固定用突起
２６      ボディ
２７      前端壁
３０      シート係止手段
【図１】
0006557062.tif 000002
【図２】
0006557062.tif 000003
【図３】
0006557062.tif 000004
【図４】
0006557062.tif 000005
【図５】
0006557062.tif 000006
【図６】
0006557062.tif 000007
【図７】
0006557062.tif 000008
【図８】
0006557062.tif 000009
【図９】
0006557062.tif 000010
【図１０】
0006557062.tif 000011
【図１１】
0006557062.tif 000012
【図１２】
0006557062.tif 000013